(57)【特許請求の範囲】
【請求項１】
有底筒状の内容物収容部を備えるレフィル用の内容器と、有底筒状の内容器収納部を備える外容器とを備える二重容器において、
前記内容器に螺着することで前記内容物収容部の開口部を閉塞可能な内容器キャップを備え、
前記内容器と前記外容器との間には、前記内容物収容部を前記内容器収容部内へ挿入したとき互いに乗り越え嵌合することで前記内容物収容部の抜け出しを妨げる嵌合部が設けられており、
前記内容器の交換に際し、前記内容器キャップを前記外容器に嵌合している前記内容器に螺着させると、該螺着に伴い前記内容器が上方へ移動して前記嵌合が外れることを特徴とする二重容器。
【請求項２】
前記外容器は、該外容器に嵌合している前記内容器に前記内容器キャップを螺着させるとき前記内容器キャップに下方から摺接して該内容器キャップの下方への移動を阻止する支持面を備える、請求項１に記載の二重容器。
【請求項３】
前記内容器は、前記外容器に対して回動不能に設けられている、請求項１又は２に記載の二重容器。
【発明の詳細な説明】
【技術分野】
【０００１】
本発明は、レフィル（詰め替え）用の内容器と外容器とを備える二重容器に関し、特に、内容器の交換を容易化すると共に容器の外観設計の自由度を向上しようとするものである。
【背景技術】
【０００２】
従来、クリーム等の内容物を収容する容器として、内容物のレフィル用の内容器と外容器とを備える二重容器が知られている。このような二重容器では、内容器の交換に際し、内容器を外容器から取外す必要があるが、その取外しの要領としては、例えば、内容器を摘み引き上げる、外容器本体底部に内容器を押し上げるための貫通孔を設ける、コイン等を用い抉じ開ける、といったものが考えられる。また、例えば特許文献１では、内容器に押圧操作により回動可能な押圧部を設け、外容器には、該押圧部を露出させる切欠き部を設けると共に該押圧部が係止可能な被係止部を設けている。
【先行技術文献】
【特許文献】
【０００３】
【特許文献１】特開２０１０−１９５４８４号公報
【発明の概要】
【発明が解決しようとする課題】
【０００４】
しかしながら、前記したような内容器の取外し要領を採用する場合には、内容器を取外すのに比較的大きな力が必要となったり、貫通孔や切欠き部を設けるために容器の外観設計上の制約を生じてしまうといった問題がある。また交換の要領を分かり易く、特に高齢者にとって使い易いものとすることも望まれる。
【０００５】
本発明は、このような課題を解決するために開発されたもので、内容器の交換を容易化すると共に容器の外観設計の自由度を向上することができる二重容器を提供することを目的とする。
【課題を解決するための手段】
【０００６】
すなわち、本発明の要旨構成は以下のとおりである。
１．有底筒状の内容物収容部を備えるレフィル用の内容器と、有底筒状の内容器収納部を備える外容器とを備える二重容器において、
前記内容器に螺着することで前記内容物収容部の開口部を閉塞可能な内容器キャップを備え、
前記内容器と前記外容器との間には、前記内容物収容部を前記内容器収容部内へ挿入したとき互いに乗り越え嵌合することで前記内容物収容部の抜け出しを妨げる嵌合部が設けられており、
前記内容器の交換に際し、前記内容器キャップを前記外容器に嵌合している前記内容器に螺着させると、該螺着に伴い前記内容器が上方へ移動して前記嵌合が外れることを特徴とする二重容器。
【０００７】
２．前記外容器は、該外容器に嵌合している前記内容器に前記内容器キャップを螺着させるとき前記内容器キャップに下方から摺接して該内容器キャップの下方への移動を阻止する支持面を備える、前記１の二重容器。
【０００８】
３．前記内容器は、前記外容器に対して回動不能に設けられている、前記１又は２の二重容器。
【発明の効果】
【０００９】
本発明によれば、内容器の交換に際し、内容器キャップを外容器に嵌合している内容器に螺着させるだけで、該螺着に伴い内容器が上方へ移動して嵌合が外れるため、比較的小さな力で内容器を容易に取外すことができる。また、内容器を取外すために、内容器を押圧するための貫通孔や切欠き部を外容器に設ける必要もない。
【００１０】
したがって、本発明によれば、内容器の交換を容易化すると共に容器の外観設計の自由度を向上することができる二重容器を提供することができる。
【図面の簡単な説明】
【００１１】
【図１】本発明の一実施形態に係る二重容器の一部断面側面図であり、内容物を使い切った状態を示す。
【図２】図１の二重容器のための新たな内容器を示す一部断面側面図であり、内容器キャップが螺着している状態を示す。
【図３】図１の二重容器における内容器の交換要領を説明するための一部断面側面図であり、図１の外容器から外容器キャップを取外し、外容器に嵌合している内容器に、図２の新たな内容器から取外した内容器キャップを被せる直前の状態を示す。
【図４】図１の二重容器における内容器の交換要領を説明するための一部断面側面図であり、（ａ）は図３の状態からさらに内容器キャップを内容器に螺着させた状態を示し、（ｂ）は（ａ）の状態からさらに内容器キャップを引き上げた状態を示す。
【図５】図１の二重容器における内容器の交換要領を説明するための一部断面側面図であり、（ａ）は図４（ｂ）の状態からさらに図２の新たな内容器を外容器内に挿入した状態を示し、（ｂ）は（ａ）の挿入が完了した状態を示す。
【発明を実施するための形態】
【００１２】
以下、図１〜図５を参照して、本発明の一実施形態に係る二重容器１について詳細に例示説明する。
なお、本明細書において、上下方向とは、内容器１０及び外容器２０の中心軸線Ｏに沿う方向を意味し、上方とは内容器１０の内容物収容部１１の開口部１２が位置する側（例えば、図１における上方）、下方とは内容物収容部１１の底壁部１４が位置する側（例えば、図１における下方）を意味するものとする。
【００１３】
図１〜図２に示すように、本実施形態に係る二重容器１は、レフィル用の内容器１０と、外容器２０と、内容器キャップ３０と、外容器キャップ４０とを備えている。内容器１０は、軸線Ｏを中心とする有底円筒状の内容物収容部１１を備えている。すなわち、内容物収容部１１は、その上部に開口部１２を形成すると共に、周壁部１３及び底壁部１４とからなっている。周壁部１３の外周面上端部には、上下方向に延びる縦リブ１５が形成されている。また、周壁部１３の上端部には、径方向外側に延びる円環状のフランジ部１６が連接されている。フランジ部１６の外周縁には、円筒状をなす環状壁部１７が垂設されている。環状壁部１７の外周面には、雄ねじ部１８が形成されている。なお、雄ねじ部１８は、本例では間欠ねじ（図３参照）として構成されているが、連続したねじとして構成してもよい。環状壁部１７の内周面には、環状の内向き凸部１９（嵌合部）が周設されている。なお、本実施例では内向き凸部１９（嵌合部）を環状としているが、全周凸部に限るものではなく、間欠に設けた凸部も含むものである。
【００１４】
また、内容器１０は、未使用の状態では、図２に示すように、内容器キャップ３０が螺着されることで内容物収容部１１の開口部１２が閉塞され、クリーム等の内容物Ｃの品質が維持されるようになっている。内容器キャップ３０は、円筒状の外壁部３１と、外壁部３１の上端部を閉塞する円板状の天壁部３２とを備えている。外壁部３１の内周面には、前述した雄ねじ部１８と螺合する雌ねじ部３３が形成されている。このように、内容器キャップ３０は、雄ねじ部１８と雌ねじ部３３により、内容器１０に螺着することができる。また、天壁部３２の下面には、円板状のパッキン３４が貼着されており、内容器１０のフランジ部１６の上面に形成された円環状のシール突起１６ａとパッキン３４とが密接することで、内容物収容部１１が密封されるようになっている。なお、本実施例ではパッキン３４を貼着にて組付けているが、これに限るものではなく、内容器キャップ３０の外壁部３１内周面に凸部を設け、乗越えることで組付けるなど、パッキンが脱落しない程度に組付けられていればよく、その組付け方法は適宜選択可能である。
【００１５】
外容器２０は、図１に示すように、内容器１０を収容可能な軸線Ｏを中心とする有底円筒状の内容器収納部２１を備えている。すなわち、内容器収納部２１は、その上部に開口部２２を形成すると共に、外周壁部２３及び底壁部２４とからなっている。外周壁部２３の内周面上端部には、前述した縦リブ１５と係合可能な上下方向に延びる縦溝２５が形成されている。外周壁部２３の外周面上端部には、下方に向けて拡径する段部２６が形成されている。段部２６の外周面には、内容器１０の前述した環状の内向き凸部１９（嵌合部）と嵌合可能な環状の外向き凸部２６ａ（嵌合部）が形成されている。すなわち、本例では、内向き凸部１９と外向き凸部２６ａとにより、内容物収容部１１を内容器収容部２１内へ挿入したとき互いに乗り越え嵌合することで内容物収容部１１の抜け出しを妨げる嵌合部を構成している。また、段部２６の上面は、図４（ａ）を用いて後述するように、内容器１０の交換に際して内容器キャップ３０に下方から摺接する支持面２６ｂになっている。段部２６の下方には、雄ねじ部２７が形成されている。
【００１６】
外容器キャップ４０は、図１に示すように、円筒状の外壁部４１と、外壁部４１の上端部を閉塞するドーム状の天壁部４２とを備えている。外壁部４１の内周面には、前述した雄ねじ部２７と螺合する雌ねじ部４３が形成されている。天壁部４２の下面には、円板状のパッキン４４が貼着されており、内容器１０のフランジ部１６の上面に形成された円環状のシール突起１６ａとパッキン４４とが密接することで、内容物収容部１１が密封されるようになっている。なお、天壁部４２はドーム状に限らず、平面状又は凹面状など、任意の形状であってもよい。また、本実施例ではパッキン４４を貼着にて組付けているが、これに限るものではなく、外容器キャップ４０の外壁部４１内周面に凸部を設け、乗越えることで組付けるなど、パッキンが脱落しない程度に組付けられていればよく、その組付け方法は適宜選択可能である。
【００１７】
かかる構成になる二重容器１によれば、内容物Ｃを使い切った際などに、以下の要領で内容器１０を新たな内容器１０と交換することができる。すなわち、まず、図２に示したような新たな内容器１０から内容器キャップ３０を取外し、図３に示すように、外容器２０に嵌合している内容器１０に被せる。そして、図４（ａ）に示すように、内容器キャップ３０を内容器１０に螺着させると、該螺着に伴い内容器１０が上方へ移動して前記嵌合が外れるので、あとは内容器キャップ３０を引き出すだけで、内容器１０を外容器２０から取り出し、そのままの状態で破棄することができる。より具体的には、外容器２０に嵌合している内容器１０に内容器キャップ３０を螺着させるときには、内容器キャップ３０の外壁部３１の下端部が外容器２０の支持面２６ｂに摺接することで、該内容器キャップ３０の下方への移動が阻止されるため、前記螺着に伴い内容器１０を確実に上方へ移動させることができる。また、このとき、本例では縦リブ１５と縦溝２５の係合により内容器１０の共回りが防止されるので、内容器１０をスムーズに上方へ移動させることができる。このようにして内容器１０を取り出した後は、図５に示すように、新たな内容器１０を外容器２０内に挿入して嵌合させることで、内容器１０の交換を完了させることができる。
【００１８】
以上説明したように、本実施形態に係る二重容器１は、有底筒状の内容物収容部１１を備えるレフィル用の内容器１０と、有底筒状の内容器収納部２１を備える外容器２０とを備える二重容器１において、内容器１０に螺着することで内容物収容部１１の開口部１２を閉塞可能な内容器キャップ３０を備え、内容器１０と外容器２０との間には、内容物収容部１１を内容器収容部２１内へ挿入したとき互いに乗り越え嵌合することで内容物収容部１１の抜け出しを妨げる嵌合部（本例では、内向き凸部１９と外向き凸部２６ａ）が設けられており、内容器１０の交換に際し、新たな内容器１０から内容器キャップ３０を取外し、該内容器キャップ３０を外容器２０に嵌合している内容器１０に螺着させると、該螺着に伴い内容器１０が上方へ移動して前記嵌合が外れるという構成になっている。
【００１９】
したがって、内容器１０の交換に際し、新たな内容器１０から内容器キャップ３０を取外し、該内容器キャップ３０を外容器２０に嵌合している内容器１０に螺着させるだけで、該螺着に伴い内容器１０が上方へ移動して嵌合が外れるため、内容器１０を容易に取外すことができる。また、内容器１０を取外すために、内容器１０を押圧するための貫通孔や切欠き部を外容器２０に設ける必要もない。したがって、本実施形態によれば、内容器１０の交換を容易化すると共に容器の外観設計の自由度を向上することができる。
【００２０】
また、本実施形態に係る二重容器１では、外容器２０は、該外容器２０に嵌合している内容器１０に内容器キャップ３０を螺着させるとき内容器キャップ３０に下方から摺接して該内容器キャップ３０の下方への移動を阻止する支持面２６ｂを備えている。したがって、前記螺着に伴い内容器１０を確実に上方へ移動させることができる。
【００２１】
さらに、本実施形態に係る二重容器１では、内容器１０は、外容器２０に対して回動不能に設けられている。したがって、外容器２０に嵌合している内容器１０に内容器キャップ３０を螺着させるとき内容器１０の共回りが防止されるので、内容器１０をスムーズに上方へ移動させることができる。
【００２２】
前述したところは、本発明の一実施形態を示したにすぎず、特許請求の範囲において、種々の変更を加えることができる。例えば、嵌合部（内向き凸部１９及び外向き凸部２６ａ）は必ずしも内容器１０の環状壁部１７と外容器２０の外周壁部２３の上端部との間に設ける必要はなく、例えば、縦リブ１５と縦溝２５との間に設けてもよいし、その他の部分に設けてもよい。また、縦リブ１５と縦溝２５は一組以上設けてもよいし、或いは縦リブ１５と縦溝２５を設けることなく、例えば周壁部１３及び外周壁部２３を平面視多角形状をなす筒状に構成することで内容器１０を外容器２０に対して回動不能に設けてもよい。さらに、雄ねじ部１８と雌ねじ部３３は、いずれか一方又は双方を間欠ねじとして構成してもよいし、内容器キャップ３０を内容器１０に対して回転させたときに内容器キャップ３０に対する内容器１０の上下方向の移動を生じさせることができる限りにおいて、その形状は限定されるものではない。
【符号の説明】
【００２３】
１  二重容器
１０  内容器
１１  内容物収容部
１２  開口部
１３  周壁部
１４  底壁部
１５  縦リブ
１６  フランジ部
１６ａ  シール突起
１７  環状壁部
１８  雄ねじ部
１９  内向き凸部（嵌合部）
２０  外容器
２１  内容器収納部
２２  開口部
２３  外周壁部
２４  底壁部
２５  縦溝
２６  段部
２６ａ  外向き凸部（嵌合部）
２６ｂ  支持面
２７  雄ねじ部
３０  内容器キャップ
３１  外壁部
３２  天壁部
３３  雌ねじ部
３４  パッキン
４０  外容器キャップ
４１  外壁部
４２  天壁部
４３  雌ねじ部
４４  パッキン
Ｏ  軸線
Ｃ  内容物
【図１】
0006377013.tif 000002
【図２】
0006377013.tif 000003
【図３】
0006377013.tif 000004
【図４】
0006377013.tif 000005
【図５】
0006377013.tif 000006